【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
携帯端末を、
印刷データを生成する印刷データ生成部と、
前記携帯端末の本体の動きを検出する検出部と、
印刷装置に対し、前記印刷データを送信する印刷データ送信部と、して機能させるためのプログラムであって、
前記印刷データ送信部は、前記印刷データ生成後の印刷指示待ち状態で、前記検出部により所定の動きが検出された場合、前記印刷データを送信することを特徴とするプログラム。
【請求項２】
前記携帯端末を、
前記印刷データのプレビュー表示画面を表示する表示部としてさらに機能させ、
前記印刷データ送信部は、前記プレビュー表示画面が表示されている状態で、前記検出部により前記所定の動きが検出された場合、前記印刷データを送信することを特徴とする請求項１に記載のプログラム。
【請求項３】
前記表示部は、前記印刷データを編集するための編集画面を表示し、
前記印刷データ送信部は、前記編集画面が表示されている状態で、前記検出部により前記所定の動きが検出された場合、前記印刷データを送信しないことを特徴とする請求項２に記載のプログラム。
【請求項４】
前記携帯端末を、
前記編集画面が表示されている状態で、前記検出部により前記所定の動きが検出された場合、前記プレビュー表示画面に切り替える表示制御部としてさらに機能させることを特徴とする請求項３に記載のプログラム。
【請求項５】
前記携帯端末を、
前記印刷データの送信後所定時間内に、前記検出部により前記所定の動きが検出された場合、前記印刷装置に対し、印刷停止コマンドを送信する印刷停止要求部としてさらに機能させることを特徴とする請求項１に記載のプログラム。
【請求項６】
前記検出部は、加速度センサーおよび角速度センサーの少なくとも一方の検出結果に基づいて、前記所定の動きを検出することを特徴とする請求項１ないし５のいずれか１項に記載のプログラム。
【請求項７】
携帯端末が、
印刷データを生成する印刷データ生成ステップと、
前記携帯端末の本体の動きを検出する検出ステップと、
印刷装置に対し、前記印刷データを送信する印刷データ送信ステップと、を実行し、
前記印刷データ送信ステップでは、前記印刷データ生成後の印刷指示待ち状態で、前記検出ステップにより所定の動きが検出された場合、前記印刷データを送信することを特徴とする携帯端末の制御方法。
【請求項８】
携帯端末および印刷装置を備えた印刷システムであって、
前記携帯端末は、
印刷データを生成する印刷データ生成部と、
前記携帯端末の本体の動きを検出する検出部と、
前記印刷装置に対し、前記印刷データを送信する印刷データ送信部と、を備え、
前記印刷データ送信部は、前記印刷データ生成後の印刷指示待ち状態で、前記検出部により所定の動きが検出された場合、前記印刷データを送信することを特徴とする印刷システム。
【請求項９】
前記印刷装置は、
印刷実行中に、再度、前記印刷データを取得した場合、印刷を停止する印刷制御部を備えたことを特徴とする請求項８に記載の印刷システム。
【請求項１０】
前記印刷装置は、
印刷待機中における前記印刷データの取得回数に応じて印刷枚数を決定し、当該印刷枚数分の印刷を行う印刷制御部を備えたことを特徴とする請求項８に記載の印刷システム。
【手続補正２】
【補正対象書類名】明細書
【補正対象項目名】発明の名称
【補正方法】変更
【補正の内容】
【発明の名称】プログラム、携帯端末の制御方法および印刷システム
【手続補正３】
【補正対象書類名】明細書
【補正対象項目名】０００１
【補正方法】変更
【補正の内容】
【０００１】
携帯端末を動作させるためのプログラム、携帯端末の制御方法および印刷システムに関するものである。
【手続補正４】
【補正対象書類名】明細書
【補正対象項目名】０００５
【補正方法】変更
【補正の内容】
【０００５】
本発明は、上記の問題点に鑑み、印刷装置に対し、印刷指示を容易に行うことができるプログラム、携帯端末の制御方法および印刷システムを提供することを目的とする。
【手続補正５】
【補正対象書類名】明細書
【補正対象項目名】０００６
【補正方法】変更
【補正の内容】
【０００６】
本発明のプログラムは、携帯端末を、印刷データを生成する印刷データ生成部と、携帯端末の本体の動きを検出する検出部と、印刷装置に対し、印刷データを送信する印刷データ送信部と、して機能させるためのプログラムであって、印刷データ送信部は、印刷データ生成後の印刷指示待ち状態で、検出部により所定の動きが検出された場合、印刷データを送信することを特徴とする。
上記のプログラムにおいて、携帯端末を、印刷データのプレビュー表示画面を表示する表示部としてさらに機能させ、印刷データ送信部は、プレビュー表示画面が表示されている状態で、検出部により所定の動きが検出された場合、印刷データを送信することを特徴とする。
上記のプログラムにおいて、表示部は、印刷データを編集するための編集画面を表示し、印刷データ送信部は、編集画面が表示されている状態で、検出部により所定の動きが検出された場合、印刷データを送信しないことを特徴とする。
上記のプログラムにおいて、携帯端末を、編集画面が表示されている状態で、検出部により所定の動きが検出された場合、プレビュー表示画面に切り替える表示制御部としてさらに機能させることを特徴とする。
上記のプログラムにおいて、携帯端末を、印刷データの送信後所定時間内に、検出部により所定の動きが検出された場合、印刷装置に対し、印刷停止コマンドを送信する印刷停止要求部としてさらに機能させることを特徴とする。
上記のプログラムにおいて、検出部は、加速度センサーおよび角速度センサーの少なくとも一方の検出結果に基づいて、所定の動きを検出することを特徴とする。
本発明の携帯端末の制御方法は、携帯端末が、印刷データを生成する印刷データ生成ステップと、携帯端末の本体の動きを検出する検出ステップと、印刷装置に対し、印刷データを送信する印刷データ送信ステップと、を実行し、印刷データ送信ステップでは、印刷データ生成後の印刷指示待ち状態で、検出ステップにより所定の動きが検出された場合、印刷データを送信することを特徴とする。
本発明の印刷システムは、携帯端末および印刷装置を備えた印刷システムであって、携帯端末は、印刷データを生成する印刷データ生成部と、携帯端末の本体の動きを検出する検出部と、印刷装置に対し、印刷データを送信する印刷データ送信部と、を備え、印刷データ送信部は、印刷データ生成後の印刷指示待ち状態で、検出部により所定の動きが検出された場合、印刷データを送信することを特徴とする。
上記の印刷システムにおいて、印刷装置は、印刷実行中に、再度、印刷データを取得した場合、印刷を停止する印刷制御部を備えたことを特徴とする。
上記の印刷システムにおいて、印刷装置は、印刷待機中における印刷データの取得回数に応じて印刷枚数を決定し、当該印刷枚数分の印刷を行う印刷制御部を備えたことを特徴とする。
なお、以下の構成としても良い。
本発明の印刷システムは、携帯端末および印刷装置を備えた印刷システムであって、携帯端末は、印刷データを生成する印刷データ生成部と、携帯端末の本体の動きを検出する検出部と、印刷装置に対し、印刷データを送信する印刷データ送信部と、を備え、印刷データ送信部は、印刷データ生成後の印刷指示待ち状態で、検出部により所定の動きが検出された場合、印刷データを送信することを特徴とする。
【手続補正６】
【補正対象書類名】明細書
【補正対象項目名】００２６
【補正方法】変更
【補正の内容】
【００２６】
以下、添付の図面を参照して、本発明のプログラム、携帯端末の制御方法および印刷システムについて説明する。本実施形態では、印刷装置として、テープ状部材に印刷を行い、印刷済み部分をカットすることによってラベルを作成するテープ印刷装置を用いた場合を例示する。